(57)【要約】【課題】画像ファイル形式の異なる複数の画像データを高速に表示処理する。【解決手段】異なる画像ファイル形式に対応する複数のビューアを起動しておき、検索条件入力手段３２から入力された検索条件に従って画像ファイル検索手段３６により画像ファイルを検索し、拡張子確認手段３８により検索された画像ファイルの拡張子を確認し、ビューア選択手段４０により検索された画像ファイルに対応するビューアを選択し、画像データを表示する処理を行う。【選択図】図２
2008003669.tif 000002
【特許請求の範囲】
【請求項１】
画像ファイル形式に対応したビューアを用いて画像を表示する画像表示装置において、
画像データの前記画像ファイル形式を確認する確認手段と、
異なる複数の前記画像ファイル形式に対応した複数の前記ビューアから、確認された前記画像ファイル形式に対応した前記ビューアを選択する選択手段と、
選択された前記ビューアに従って前記画像データを表示する表示手段と、
を備えることを特徴とする画像表示装置。
【請求項２】
請求項１記載の装置において、
前記表示手段は、前記画像ファイル形式に対応した前記ビューアを除く他の前記ビューアを非表示状態に設定することを特徴とする画像表示装置。
【請求項３】
画像ファイル形式に対応したビューアを用いて画像を表示する画像表示方法において、
異なる複数の前記画像ファイル形式に対応した複数の前記ビューアを起動するステップと、
画像データの前記画像ファイル形式を確認するステップと、
確認された前記画像ファイル形式に対応した前記ビューアを選択するステップと、
選択された前記ビューアに従って前記画像データを表示するステップと、
を含むことを特徴とする画像表示方法。
【請求項４】
請求項３記載の方法において、
前記画像ファイル形式に対応した前記ビューアを表示状態に設定して前記画像データを表示することを特徴とする画像表示方法。
【発明の詳細な説明】
【技術分野】
【０００１】
本発明は、画像ファイル形式に対応したビューアを用いて画像を表示する画像表示装置及び表示方法に関する。
【背景技術】
【０００２】
従来から、多数の設計図面や仕様書等をスキャナにより読み込んで得られた画像データ、あるいは、ＣＡＤ装置（コンピュータ支援設計装置）を用いて作成されたＣＡＤ図面データを、デジタルデータとしてハードディスク、ＣＤ−ＲＯＭ、ＤＶＤ等の大容量の記憶媒体に記憶させておき、必要なときに検索条件を設定して所望の画像ファイルを検索し、その画像データを対応するビューアを用いてディスプレイに表示するようにした画像表示装置がある。
【０００３】
この場合、画像データの画像ファイル形式は、画像データを作成するプログラムによって異なっており、全ての画像ファイル形式の画像データを表示することのできるビューアは存在しない。そのため、画像ファイル形式の異なる複数の画像データを、ビューアが対応している画像ファイル形式に変換して表示することが一般に行われている（特許文献１参照）。
【０００４】
【特許文献１】特開平９−２４５０３５号公報
【発明の開示】
【発明が解決しようとする課題】
【０００５】
しかしながら、上記の方法では、画像ファイル形式が変わる毎に画像データの変換処理を行わなければならないため、画像ファイル形式の異なる多数の画像データを連続的に切り替えて表示するような場合、変換処理に時間を要する分、画像データを高速に表示することができないという不具合が生じる。
【０００６】
本発明は、前記の課題を解決するためになされたものであり、画像ファイル形式の異なる複数の画像データを高速に表示処理することのできる画像表示装置及び表示方法を提供することを目的とする。
【課題を解決するための手段】
【０００７】
本発明の画像表示装置は、画像ファイル形式に対応したビューアを用いて画像を表示する画像表示装置において、
画像データの前記画像ファイル形式を確認する確認手段と、
異なる複数の前記画像ファイル形式に対応した複数の前記ビューアから、確認された前記画像ファイル形式に対応した前記ビューアを選択する選択手段と、
選択された前記ビューアに従って前記画像データを表示する表示手段と、
を備えることを特徴とする。
【０００８】
また、本発明の画像表示方法は、画像ファイル形式に対応したビューアを用いて画像を表示する画像表示方法において、
異なる複数の前記画像ファイル形式に対応した複数の前記ビューアを起動するステップと、
画像データの前記画像ファイル形式を確認するステップと、
確認された前記画像ファイル形式に対応した前記ビューアを選択するステップと、
選択された前記ビューアに従って前記画像データを表示するステップと、
を含むことを特徴とする。
【発明の効果】
【０００９】
本発明の画像表示装置及び表示方法では、異なる画像ファイル形式に対応した複数のビューアを起動し、画像データの画像ファイル形式に応じてビューアを選択することにより、画像ファイル形式の異なる複数の画像データを迅速に表示処理することができる。
【発明を実施するための最良の形態】
【００１０】
図１は、本発明の画像表示装置及び表示方法が適用される図面管理システム１０の全体構成を示す。
【００１１】
図面管理システム１０は、図面登録装置１２、図面情報蓄積装置１６、図面保存処理装置１８、図面復元処理装置１９、図面検索装置２０、図面作成装置２２、及び、出力装置２４がネットワーク２６を介して相互に接続されて構成される。
【００１２】
図面登録装置１２は、接続されているスキャナ２８を用いて紙図面３０を読み込むことで画像データを取得するとともに、紙図面３０を特定するＩＤ番号、図面名称、関係する部門やライン等の部署情報、作成年月日、担当者名等の属性データの登録処理を行う。なお、紙図面３０には、製図機器等を用いて紙上に直接作成された機器や設備の構成、回路図面等を記載した図面だけでなく、設備工事に係る検討書、計算書、見積書等のあらゆる紙書類の文書イメージも含まれる。
【００１３】
図面作成装置２２は、設計図面を作成するＣＡＤ（コンピュータ支援設計）装置であり、図面登録装置１２と同様に、作成された設計図面に係る属性データの登録処理を行うことができる。
【００１４】
図面情報蓄積装置１６は、図面登録装置１２によって登録された画像データ及び属性データと、図面作成装置２２によって作成された設計図面に係る画像データ及び属性データとを画像ファイルとしてデータ記憶装置３４に蓄積する。この場合、図面登録装置１２又は図面作成装置２２で生成された画像データは、生成処理に使用されるアプリケーションに応じて、例えば、ＴＩＦＦ（Ｔａｇｇｅｄ−Ｉｍａｇｅ  Ｆｉｌｅ  Ｆｏｒｍａｔ）、ＧＩＦ（Ｃｏｍｐｕｓｅｒｖｅ  Ｇｒａｐｈｉｃ  Ｉｎｔｅｒｃｈａｎｇｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＤＦ（Ｐｏｒｔａｂｌｅ  Ｄｏｃｕｍｅｎｔ  Ｆｏｒｍａｔ）等、種々の画像ファイル形式を有しており、データ記憶装置３４には、異なる複数の画像ファイル形式からなる画像データが蓄積される。
【００１５】
図面保存処理装置１８は、データ記憶装置３４に蓄積された画像データをＣＤ−ＲＯＭ等を介してマイクロフイルム５０に画像形式でそのまま保存するとともに、これらの画像データに関連する属性データを復元可能な可視化されたコード形式で保存する処理を行う装置である。
【００１６】
図面復元処理装置１９は、マイクロフイルム５０に記録された情報を読み込み、属性データ及び画像データを復元させる処理を行う装置である。
【００１７】
図面検索装置２０は、データ記憶装置３４に蓄積されている画像ファイルから所望の画像ファイルを検索して表示し、必要に応じて出力装置２４より画像を紙媒体等に出力する装置であり、図２に示すように、属性データに従った検索条件を入力する検索条件入力手段３２と、検索条件を用いて所望の画像ファイルを検索する画像ファイル検索手段３６と、検索された画像ファイルの拡張子を確認する拡張子確認手段３８（確認手段）と、確認した拡張子が付された画像ファイルを処理することのできるビューアを選択するビューア選択手段４０（選択手段）と、選択されたビューアを用いて画像データを画面に表示する画像表示手段４２（表示手段）とを備える。
【００１８】
本実施形態の図面管理システム１０は、基本的には以上のように構成されるものであり、次に、この図面管理システム１０を用いた処理につき、図３に示すフローチャートに基づいて説明する。
【００１９】
先ず、図面登録装置１２又は図面作成装置２２を用いて、画像データを作成する（ステップＳ１）。図面登録装置１２を用いて画像データを作成する場合には、紙図面３０として提供される設計図面や文書図面をスキャナ２８を用いて読み込む。また、図面作成装置２２を用いる場合には、図面設計支援ソフト（ＣＡＤソフト）を用いて設計図面としての画像データを作成する。
【００２０】
次いで、図面登録装置１２又は図面作成装置２２から、作成された画像データに係るＩＤ番号、図面名称、関係する部門やライン等の部署情報、作成年月日、担当者名等の属性データを登録し（ステップＳ２）、これらの画像データ及び属性データを、図面情報蓄積装置１６のデータ記憶装置３４に画像ファイルとして蓄積する（ステップＳ３）。この場合、データ記憶装置３４に蓄積される画像ファイルの形式は、画像データを作成する装置に依存した種々の画像ファイル形式からなるものとする。
【００２１】
なお、図面登録装置１２又は図面作成装置２２によって作成された画像データ及び属性データは、データ記憶装置３４に蓄積されるとともに、バックアップのため、図面保存処理装置１８を用いてマイクロフイルム５０に保存され、必要に応じて、図面復元処理装置１９によって復元することができる。
【００２２】
次に、図面検索装置２０を用いて、データ記憶装置３４に蓄積されている画像ファイルから所望の画像ファイルを検索する。そこで、ビューアを起動し（ステップＳ４）、画像表示手段４２により、図４に示す検索条件入力画面９２を表示させる。
【００２３】
作業者は、表示された検索条件入力画面９２を用いて、所望の画像データに付随する属性データに基づく検索条件、例えば、部門やライン等の部署情報、担当者名等を入力する（ステップＳ５）。
【００２４】
検索条件を入力して「検索実行」ボタンを選択すると、画像ファイル検索手段３６は、入力された検索条件に合致する属性データを有する画像ファイルをデータ記憶装置３４から検索する（ステップＳ６）この場合、検索条件に合致する画像ファイルとして、複数の画像ファイルが検索される場合もある。
【００２５】
次に、拡張子確認手段３８は、検索された最初の画像ファイルの拡張子を確認する（ステップＳ７）。次いで、ビューア選択手段４０は、確認された拡張子により特定された画像ファイル形式からなる画像データを表示することのできるビューアを選択し（ステップＳ８、Ｓ９）、画像表示手段４２は、選択されたビューアを用いて、検索された最初の画像ファイルを構成する画像データ及びその属性データを図５に示す個別図面閲覧画面１０２に表示する（ステップＳ１０）。
【００２６】
この場合、図面検索装置２０は、予め異なる複数の画像ファイル形式に対応した複数のビューアを起動しておき、検索された最初の画像ファイルの画像ファイル形式に対応しないビューアを非表示状態に設定する一方、対応するビューアを表示状態に設定する切替処理を行う。
【００２７】
例えば、図６に示すように、拡張子がｔｉｆ、ｇｉｆ、ｊｐｇの画像ファイルを表示可能なビューアＶ１、拡張子がｐｄｆの画像ファイルを表示可能なビューアＶ２、及び、拡張子がｄｗｇの画像ファイルを表示可能なビューアＶ３を起動してメモリ上に配置しておき、検索された最初の画像ファイルの拡張子に対応したビューアＶ１〜Ｖ３が表示メモリ上の最前面に配置されるように切替処理を行うことで、検索された最初の画像ファイルの画像ファイル形式に応じた画像表示を行う。
【００２８】
次に、検索条件に合致する属性データを有する画像ファイルが複数検索されている場合であって、最初に表示された画像データが所望の画像データでない場合（ステップＳ１１）、個別図面閲覧画面１０２のスクロールバー１０４を操作し、次の画像データを個別図面閲覧画面１０２に表示させる。
【００２９】
すなわち、画像ファイルの拡張子を確認し（ステップＳ７）、現在最前面の表示状態に設定されているビューアが前記画像ファイルを表示可能であるか否かを判定し（ステップＳ８）、表示可能でない場合には次のビューアに切り替える処理（ステップＳ９）を繰り返し、対応するビューアを選択して画像データを個別図面閲覧画面１０２に表示させる。
【００３０】
この場合、メモリ上に配置された複数のビューアの中、画像ファイル形式に対応していないビューアを非表示状態とする一方、対応するビューアを表示状態として画像データの表示が行われる。従って、作業者は、ビューアの切り替えを意識することなく、画像ファイル形式によらず連続的に表示される画像データから所望の画像データを効率的に抽出することができる。
【図面の簡単な説明】
【００３１】
【図１】本実施形態の図面管理システムの全体構成図である。
【図２】本実施形態の図面管理システムを構成する図面検索装置の機能ブロック図である。
【図３】本実施形態の図面管理システムにおける処理フローチャートである。
【図４】図面検索装置の画面に表示される検索条件入力画面の説明図である。
【図５】図面検索装置の画面に表示される個別図面閲覧画面の説明図である。
【図６】図面検索装置におけるビューア切替処理の説明図である。
【符号の説明】
【００３２】
１０…図面管理システム        １２…図面登録装置
１６…図面情報蓄積装置        １８…図面保存処理装置
１９…図面復元処理装置        ２０…図面検索装置
２２…図面作成装置            ２４…出力装置
２６…ネットワーク            ２８…スキャナ
３２…検索条件入力手段        ３４…データ記憶装置
３６…画像ファイル検索手段    ３８…拡張子確認手段
４０…ビューア選択手段        ４２…画像表示手段
【図１】
2008003669.tif 000003
【図２】
2008003669.tif 000004
【図３】
2008003669.tif 000005
【図４】
2008003669.tif 000006
【図５】
2008003669.tif 000007
【図６】
2008003669.tif 000008